(57)【要約】【課題】使用者が自由な体勢で跳躍運動を行うことができる新たな跳躍具を提供し、跳躍により中空弾性体内に高い内部圧力が生じても、空気漏れを有効に防止できる空気注入装置を提供する。【解決手段】上張出部、下張出部、及び、前記上張出部と下張出部とを接続する縊れ部を有する中空弾性体と、中央に孔部を有する硬質足踏板とを備え、縊れ部を孔部に挿入した状態で硬質足踏板を中空弾性体に固定する。また、バネ筒下端と停止板との間に弁を形成し、バネ筒下端をバネ筒内に配したバネ体によって停止板方向に付勢するとともに、中空弾性体の内部圧力により停止板をバネ筒方向に付勢するよう構成する。【選択図】  図１
2004337376.tif 000002
【特許請求の範囲】
【請求項１】
上張出部、下張出部、及び、前記上張出部と下張出部とを接続する縊れ部を有する中空弾性体と、
中央に孔部を有する硬質足踏板とを備える跳躍具であって、
前記縊れ部が前記孔部に挿入されて前記硬質足踏板が前記中空弾性体に固定されることを特徴とする跳躍具。
【請求項２】
外筒と、
前記外筒内に設けられた停止板、平座、及び、両端に開口を有するバネ筒と、
前記バネ筒内に設けられた棒状体、及び、バネ体とを有し、
前記バネ筒の上端開口は前記バネ体の外径より大きく形成され、下端開口は前記バネ体の外径より小さく形成されており、
前記棒状体は、その下端において上記停止板に固着されており、
前記バネ体は、棒状体に設けられたバネ座と前記バネ筒の下端開口との間に保持されており、
前記バネ筒の外周部が前記外筒の内周部と気密に接触し、前記停止板と前記バネ筒との当接部に弁が形成された空気注入装置を更に備えることを特徴とする請求項１に記載の跳躍具。
【請求項３】
前記空気注入装置が前記上張出部に設けられていることを特徴とする請求項２に記載の跳躍具。
【請求項４】
前記上張出部、下張出部がドーム状の形状であることを特徴とする請求項１〜３のいずれか一項に記載の跳躍具。
【発明の詳細な説明】
【０００１】
【発明の属する技術分野】
本発明は、運動補助器具、遊具などとして使用される跳躍具であって、跳躍具上に両足を載せて跳躍具とともに使用者が跳躍を行うことを可能にする跳躍具に関する。
【０００２】
【従来の技術】
従来より、竹馬やローラースケートなど、体を使った運動を行うための運動補助具或いは遊具が多数考案されている。
【０００３】
本発明は、従来に無い、全く新しい種類の運動補助具或いは遊具に関するものであり、本発明に類似する技術を開示した文献は存在しない。
【０００４】
【発明が解決しようとする課題】
本発明は、大人から子供まで誰もが気軽に跳躍運動を楽しむことができる、新たな種類の運動補助具或いは遊具としての跳躍具を提供するものである。
【０００５】
【課題を解決するための手段】
本発明は、上張出部、下張出部、及び、前記上張出部と下張出部とを接続する縊れ部を有する中空弾性体と、中央に孔部を有する硬質足踏板とを備える跳躍具であって、前記縊れ部が前記孔部に挿入されて前記硬質足踏板が前記中空弾性体に固定されることを特徴とする跳躍具である。
【０００６】
本発明の跳躍具は、縊れ部に固定された硬質足踏板に両足を載せ、上張出部を両足で挟み込んだ状態でバランスをとりつつ、中空弾性体の弾性によって跳躍運動を行うように使用されるものであり、硬質足踏板が下張出部の上部に位置する縊れ部に固定されているため、両足を足踏板に載せたときに心地よい浮遊感覚を味わいつつ跳躍運動を行う楽しみを提供することができる。
【０００７】
また本発明は、従来存在した跳躍具と異なり、跳躍時に跳躍具を手で保持する必要がないものであるため、跳躍運動をしながら両手を自由に動かすことができ、自由な姿勢で跳躍運動を楽しむことが可能となる。
【０００８】
なお、本発明における張出部は、跳躍中における硬質足踏版の抜け落ちを防止するために、縊れ部よりも大きい外周を有することが好ましいが、その形状は任意に設計することができる。
【０００９】
また、本発明における硬質足踏版の外径形状にも特段の制限はないが、物に接触したときのこすれなどの影響を小さくする意味で、円形、或いは、楕円形の形状とすることが好ましい。
【００１０】
また本発明の跳躍具は、外筒と、前記外筒内に設けられた停止板、平座、及び、両端に開口を有するバネ筒と、前記バネ筒内に設けられた棒状体、及び、バネ体とを有し、前記バネ筒の上端開口は前記バネ体の外径より大きく形成され、下端開口は前記バネ体の外径より小さく形成されており、前記棒状体は、その下端において上記停止板に固着されており、前記バネ体は、棒状体に設けられたバネ座と前記バネ筒の下端開口との間に保持されており、前記バネ筒の外周部が前記外筒の内周部と気密に接触し、前記停止板と前記バネ筒との当接部に弁が形成された空気注入装置を更に備えることができる。
【００１１】
すなわち、本発明に係る跳躍具は、跳躍時に使用者の体重が中空弾性体に掛かりその内部圧力が上昇するために、跳躍中における中空弾性体の空気注入装置からの空気漏れを有効に防ぐ手段が必要となるところ、停止板とバネ筒下端との当接部に弁を形成するとともに、中空弾性体内の空気圧が停止板に作用して停止板とバネ筒との当接を強固にするよう構成することで、跳躍による中空弾性体内の空気圧の上昇が空気注入口における気密性を高める作用を果たして空気漏れを有効に防ぐことを可能にする一方で、棒状体を下方に押し下げて停止板とバネ筒下端との当接部に隙間を形成することで必要に応じて空気注入を行うことを可能にしたものである。
【００１２】
また、本発明における空気注入装置は、上張出部、特に、上張出部の上部に設けることが好ましく、これにより、跳躍時に空気注入装置が損傷する危険を低減することができる。
【００１３】
また、本発明における上下の張出部は、ドーム状の形状とすることが好ましく、これにより、跳躍運動時における中空弾性体の弾性による反発力をより有効に利用することが可能となる。
【００１４】
なお、ここにいうドーム状は半球状を意味するものではあるが、必ずしも厳格な意味での半球に限らず、例えば、任意の１軸、或いは、２軸が延長、或いは、短縮されて断面が楕円とされた多少のゆがみを有する球の半分の形状や、球、或いは、上記のようなゆがみを有する球の半分を幾分超過、或いは、幾分不足する部分の形状なども含むものである。
【００１５】
【発明の実施の形態】
以下、本発明の一実施形態としての跳躍具を図面に基づいて説明する。
【００１６】
図１は、本発明の一実施形態としての跳躍具２０の全体構造を示す断面説明図である。
【００１７】
図示されるように、跳躍具２０は、ドーム状の上張出部２１、及び、下張出部２２と、上下の張出部２１、２２を接続する縊れ部２３よりなる中空弾性体と、中央に円形の孔２４が設けられた硬質プラスチックよりなる足踏板２５より構成されている。
【００１８】
ここで、中空弾性体には、跳躍運動の際に十分な反発力を得ることができるゴムなどの材料を使用することができ、上張出部２１、下張出部２２、縊れ部２３を中空に形成し、それぞれの内部空間を連通させることで、より高い反発力を得ることができる。
【００１９】
また、足踏板２５は、使用者が足踏板に全体重を掛けて跳躍運動をしたときに、折れたり大きく撓んだりすることなく、十分な使用耐性を得ることができる任意の素材を使用し、適切な厚みに形成すれば良く、また、その平面形状も円形や、楕円、方形、三角形など任意のものとすることができる。
【００２０】
上記跳躍具２０の使用者は、上張出部２１の両側の足踏板２５上面に均等に体重が掛かるように両足を乗せてバランスを取り、その状態で上張出部２１を両足で挟みこんで上下に跳躍を行うように本跳躍具２０を使用する。
【００２１】
また、上張出部２１の上部に形成された肉厚部２６には、空気注入装置１０が挿入固定されている。
【００２２】
空気注入装置１０は、図２の拡大説明図に示されるように、棒状体１１、バネ１２、停止板１３、平座１４、バネ筒１７、及び、外筒１８とを備えている。
【００２３】
バネ筒１７の両端は開口しており、上端の開口はバネ１２の外径より大きく、下端の開口はバネ１２の外径よりも小さくされている。棒状体１１にはバネ座１１１が設けられ、バネ１２はバネ座１１１に当接した状態で、バネ座１１１とバネ筒１７の下端との間に配置されている。平座１４は、バネ筒１７の上方に配置され、棒状体１１を貫通させる孔を備えている。また、平座１４の上方には通気口１４１が設けられており、通気口１４１は、中空弾性体の空気注入口１に連通している。また、停止板１３とバネ筒１７の下端とは当接／離間時にバネ筒１７の下端からの空気の入出を遮断／開放することができる弁を形成しており、また、バネ筒１７の外壁は、外筒１８の内壁に気密に接触するよう配置されている。
【００２４】
ここで上記空気注入装置１０においては、バネ筒１７の下端に対して停止板１３方向への付勢力がバネ１２により加えられる一方、停止板１３に対してはバネ筒１７方向への付勢力が中空弾性体の内部空気圧により加えられており、これにより、停止板１３とバネ筒１７の下端との間に形成される弁が強固に閉じられて、中空弾性体内の空気の漏出が防止される。なお、跳躍運動時には、使用者の体重により中空弾性体内の圧力が増加し、空気漏出の圧力も増大することとなるが、同時に、停止板１３に加わる上記付勢力も増大するために、跳躍運動時においても中空弾性体内の空気の漏出が有効に防止される。
【００２５】
図３（ａ）は、本発明の跳躍具への空気注入の際に使用できる空気注入治具３０の一例を示す縦断面説明図であり、図３（ｂ）は、図３（ａ）のＡＡ部における上記空気注入治具３０の横断面説明図である。
【００２６】
図３（ａ）、（ｂ）に示されるように、空気注入治具３０は、管状の本体３１内に空気通路３２を有しており、その先端部においては、棒状体１１を押下するための押座３３が形成されるとともに、上記空気通路３２が偏芯して配置されている。
【００２７】
中空弾性体への空気注入を行う際には、空気注入治具３０を空気注入口１から挿入し、押座３３を棒状体１１上部に当接させてた状態で下方に押し下げることにより、バネ筒１７下端と停止板１３との間に隙間が形成される。これにより、中空弾性体の内部空間が、バネ筒１７下端と停止板１３との隙間を介して、バネ筒１７内部、空気注入口１、空気通路３２へと連通する。従って、この状態で空気通路３２から空気圧力を加えることにより中空弾性体への空気注入が可能となる。
【００２８】
【発明の効果】
以上の説明から明らかなように、本発明により、自由な体勢で跳躍運動を行うことができる従来にない跳躍具が提供され、また、跳躍時に生じる中空弾性体の高い内部圧力にも拘らず、空気漏れを有効に防止することができる空気注入装置を備える跳躍具が提供される。
【図面の簡単な説明】
【図１】図１は、本発明の一実施形態としての跳躍具の全体構造を示す断面説明図である。
【図２】図２は、本発明の一実施形態における空気注入装置の拡大説明である。
【図３】図３（ａ）は、本発明の跳躍具への空気注入の際に使用できる空気注入治具の一例を示す縦断面説明図であり、図３（ｂ）は、図３（ａ）のＡＡ部における上記空気注入治具の横断面説明図である。
【符号の説明】
１    空気注入口
１０  空気注入装置
１１  棒状体
１１１  バネ座
１２  バネ
１３  停止板
１４  平座
１４１  通気口
１７  バネ筒
１８  外筒
２０  跳躍具
２１  上張出部
２２  下張出部
２３  縊れ部
２４  孔
２５  足踏板
２６  肉厚部
３０  空気注入治具
３１  本体
３２  空気通路
３３  押座
【図１】
2004337376.tif 000003
【図２】
2004337376.tif 000004
【図３】
2004337376.tif 000005